(57)【要約】      （修正有）【課題】異物回収部から簡単、容易に異物を排出できるようにする。【解決手段】画像読取装置本体９００と、前記本体９００に回動開閉可能にヒンジで連結された原稿搬送装置９０１とを含む画像読取装置９において、原稿搬送装置９０１内の原稿両面を読み取るための第２読取部に付着する紙粉等の異物を除去し、且つ、除去した異物を簡単、容易に、効率よく排出することができるようにする。原稿搬送装置９０１に第２読取部に滞留する異物を清掃する清掃部材９６及び清掃部材９６により第２読取部から除去される異物を回収する異物回収部９７を設け、異物回収部９７を原稿搬送方向を横切る方向にヒンジ側へ延設し、ヒンジ側に異物排出用開口部とその蓋体を設ける。【選択図】図１
2012019394.tif 000002
【特許請求の範囲】
【請求項１】
画像読取装置本体と、前記画像読取装置本体に回動開閉可能にヒンジ連結された原稿搬送装置とを含んでおり、前記画像読取装置本体は原稿の第１面画像を読み取るための第１読取部を含んでおり、前記原稿搬送装置は、開閉により前記第１読取部を開放又は被覆可能であり、前記原稿の第２面画像を読み取る第２読取部、前記第２読取部に滞留する異物を清掃する清掃部材及び前記清掃部材により前記第２読取部から除去される異物を回収する異物回収部を含んでおり、前記第１読取部を覆った状態で前記原稿を前記１読取部に搬送通過させ、さらに前記前記第２読取部に搬送通過させることができる画像読取装置であり、
前記異物回収部は異物回収用開口及び前記清掃部材の下方に配置された、異物の自重による流出を防ぐ底部を有しているとともに、前記底部の前記ヒンジ側の部位に異物排出用開口部を有していることを特徴とする画像読取装置。
【請求項２】
前記異物回収部の異物回収用開口は前記原稿搬送装置の原稿搬送方向を横切る方向に搬送可能な原稿の最大幅以上に延びている請求項１記載の画像読取装置。
【請求項３】
前記原稿搬送装置を前記画像読取装置本体に回動開閉可能に連結する前記ヒンジの開閉軸は該原稿搬送装置による原稿搬送方向とは交わらない方向に延びている請求項１又は２記載の画像読取装置。
【請求項４】
前記異物回収部の底部の前記異物を受ける内面は、前記原稿搬送装置を前記画像読取装置本体に閉じた状態で、前記ヒンジの開閉軸方向を横切る方向において前記ヒンジ側へ向かって下り傾斜している請求項１、２又は３記載の画像読取装置。
【請求項５】
前記異物回収部の底部の前記異物を受ける内面には低摺動抵抗化のための表面処理が施されている請求項１から４のいずれか１項に記載の画像読取装置。
【請求項６】
前記異物回収部の底部の異物排出用開口部は該開口部に着脱可能の蓋体で閉塞可能である請求項１から５のいずれか１項に記載の画像読取装置。
【発明の詳細な説明】
【技術分野】
【０００１】
本発明は、複写機、ファクシミリ、画像記録装置などに用いられるシートスルー方式の、自動原稿搬送装置が搭載された画像読取装置に関する。
【背景技術】
【０００２】
シートスルー方式とは、所定の画像読取位置上を略一定速度で搬送される原稿の画像を直接或いはミラーを介して画像読取センサで読取る方式であり、現在シート状原稿の画像読取方式として主流となっている。
【０００３】
なお、シートスルー方式を採用する画像読取装置でも、厚手の原稿等の画像を読み取るために原稿を載置する所謂原稿台ガラス等による原稿載置面が併設されているのが一般的である。原稿載置面上の画像を読取る際には例えば画像読取センサが原稿載置面の読取基準位置から−定速度で移動する。このような読取部構成は、シートスルー方式で原稿画像を読み取る読取部構成と一部を共通にしているのが一般的である。
【０００４】
また近年、原稿搬送の安定性、装置の小型化、両面画像読取による高生産性の観点から、原稿搬送路に臨む第１の画像読取部の下流に第２の画像読取部を直列状に配置し、搬送される原稿の両面の画像を第１画像読取部及び第２画像読取部で略同時的に読み取る方式（以下、「Dual Scan 」ということがある。）が急速に広く採用されつつある。
【０００５】
このようなDual Scan の画像読取の場合、画像読取装置の省スペース化を図るため、第２の画像読取部にはコンタクトイメージセンサ（ＣＩＳ：Contact Image Sensor) を用いるのが主流である。ＣＩＳは、撮像素子の一つで、構造が簡単で薄型化が可能であり、ＣＣＤと比べて消費電力が低いセンサとして知られているものである。
【０００６】
ところで、原稿画像を安定的に、忠実に読み取るためにはシェーディング（光量補正）が必要であるが、ＣＩＳを利用した前記第２の画像読取部（画像読取センサ）は固定配置されているのが一般的であるから、固定配置されたＣＩＳ利用の第２の画像読取部に原稿搬送路を間にしてシェーディング面を形成する必要がある。
【０００７】
その場合、シエーディング面が常時原稿搬送路に露出しているとシェーディング面自体に原稿に起因して紙粉等の異物が付着して該シエーディング面が汚染されてしまう。
そこでシエーディング面は、原稿搬送時以外のタイミングで選択的に第２の画像読取部に対向するように、例えば回転可能な軸上に形成されることがある。
【０００８】
また、原稿画像を安定的に、忠実に読み取るためには、第２画像読取部に堆積、付着して画像ノイズを発生させる、原稿等に起因する紙粉等の異物の定期的な清掃が必要である。そのため原稿搬送路を挟んだ第２画像読取部の対向部位に清掃ブラシ等の清掃部材を例えば回転可能に配置して比較的頻繁に第２画像読取部の清掃が行われる。
【０００９】
前記清掃部材とシェーディング面を同一軸上に形成して省スペース化を図ることも試みられている。
【００１０】
さらに、第２の画像読取部から前記清掃部材により除去された紙粉等の異物は、清掃部材の下方に設けられた異物回収部に回収される。
回収部に回収される異物は、そのまま放置すると、再び画像読取部上に飛散、流出したり、吸湿して画像読取装置部品の錆発生の原因ともなるので、定期的に異物回収部から排出してしまわなければならない。
【００１１】
これらの点についは、例えば特開２００４−４８１８４号公報に、第２画像読取部の対向部位にシェーディング面併設の清掃ブラシを設けるとともに該ブラシの下方に、着脱可能に紙粉等の異物の回収部を設け、異物回収部の底面に粘着シートを貼着して紙粉等の異物の画像読取部への飛散、流出を防止することが記載されている。
【先行技術文献】
【特許文献】
【００１２】
【特許文献１】特開２００４−４８１８４号公報
【発明の概要】
【発明が解決しようとする課題】
【００１３】
しかしながら、特開２００４−４８１８４号公報に記載された異物回収部は、画像読取部の下方に通紙幅全体に亘って設置されたものであり、その回収部全体を着脱可能としたものである。この異物回収部から紙粉等を排出しようとするときには、回収部全体を両手で操作しなければならない。また、原稿搬送装置の画像読取装置本体に対する開閉支点軸と原稿の搬送方向とが直交関係に設定されているのが一般的であるから、異物回収部を取り外すために原稿搬送装置を開くと、異物回収部は傾斜し、異物回収部の異物回収用開口から紙粉等が飛散、漏出しやすく、原稿台ガラス等で提供されている原稿載置面等を紙粉等で汚染してしまわないよう細心の注意が必要となる。これらにより、異物排出のための異物回収部の取り外し作業はとても煩わしい作業となっている。
【００１４】
異物回収部の底に貼着される粘着シートは、表層が紙粉等で覆われてしまえば、また覆われずとも時間経過で粘着力が消失して、期待する異物捕捉効果を発揮させることができない。
【００１５】
さらに発展型として異物回収部内の紙粉等の異物を自動的に機外に排出する機構を搭載することも考えられるが、それでは原稿搬送装置の構成が複雑化するとともに重量が増加し、原稿搬送装置自体の開閉操作性を損なうことになってしまう。
【００１６】
紙粉は主として原稿を供給するために捌くときに発生し、捌き部材は通常、原稿供給ローラ等に対向して原稿搬送方向を横切る原稿幅方向の中央部に対して設けられているから、紙粉は前記異物回収部の中央部に集中堆積することが多い。従って、異物回収部の中央部に異物排出口を形成しておけばよいように思われるが、実際には、厚手の原稿や大判原稿等の画像読取のために原稿載置面が使われることも多々あり、その度ごとに原稿搬送装置が開閉され、そのときの異物回収部の傾斜により回収部内の異物が回収部の片側に偏ってしまいがちになり、異物回収部の中央部に異物排出口を形成しておいても異物の取り出しや排出は難しい。
【００１７】
そこで本発明は、画像読取装置本体と、前記画像読取装置本体に回動開閉可能にヒンジ連結された原稿搬送装置とを含み、前記画像読取装置本体は原稿の第１面画像を読み取るための第１読取部を含んでおり、前記原稿搬送装置は、開閉により前記第１読取部を開放又は被覆可能であり、前記原稿の第２面画像を読み取る第２読取部、前記第２読取部に滞留する異物を清掃する清掃部材及び前記清掃部材により前記第２読取部から除去される異物を回収する異物回収部を含んでおり、前記第１読取部を覆った状態で前記原稿を前記１読取部に搬送通過させ、さらに前記前記第２読取部に搬送通過させることができる画像読取装置であって、構造の複雑化を招くことなく、前記異物回収部から簡単、容易に異物を排出することができ、ひいてはそれだけ紙粉等の異物に起因する筋状ノイズ等の画像ノイズが抑制された状態で安定的に原稿画像を読み取ることができる画像読取装置を提供することを課題とする。
【課題を解決するための手段】
【００１８】
本発明は前記課題を解決するため、
画像読取装置本体と、前記画像読取装置本体に回動開閉可能にヒンジ連結された原稿搬送装置とを含んでおり、前記画像読取装置本体は原稿の第１面画像を読み取るための第１読取部を含んでおり、前記原稿搬送装置は、開閉により前記第１読取部を開放又は被覆可能であり、前記原稿の第２面画像を読み取る第２読取部、前記第２読取部に滞留する異物を清掃する清掃部材及び前記清掃部材により前記第２読取部から除去される異物を回収する異物回収部を含んでおり、前記第１読取部を覆った状態で前記原稿を前記１読取部に搬送通過させ、さらに前記前記第２読取部に搬送通過させることができる画像読取装置であって、前記異物回収部は異物回収用開口及び前記清掃部材の下方に配置された、異物の自重による流出を防ぐ底部を有しているとともに、前記底部の前記ヒンジ側の部位に異物排出用開口部を有している画像読取装置を提供する。
【００１９】
本発明に係る画像読取装置によると、異物回収部には前記清掃部材により前記第２読取部から除去される異物を受ける底部があり、該底部に異物排出用開口部が設けられており、その異物排出用開口部は、原稿搬送装置を画像読取装置本体に対してヒンジにより開いたときに低い位置をとるヒンジ側部位に設けてあるから、前記清掃部材により前記第２読取部から除去されて前記異物回収用開口から前記異物回収部内に回収される紙粉等の異物は、原稿搬送装置を画像読取装置本体から開くことでヒンジ側へ移動し、堆積することがあっても画像読取装置構造の格別な複雑化を招くことなく、異物排出用開口部から簡単、容易に取り出すことができる。
【００２０】
かくして、異物回収部に回収された異物が再び異物回収用開口から飛散、漏洩して第２読取部へ再付着したり、画像読取装置の他の部分に付着したりすることが抑制され、それだけ紙粉等の異物に起因する筋状ノイズ等の画像ノイズが抑制された状態で安定的に原稿画像を読み取ることができる。
【００２１】
前記原稿搬送装置により搬送可能な原稿のうち最大幅の原稿（原稿搬送方向を横切る方向の原稿幅が最大の原稿）が第２読取部を通過するときに該第２読取部に付着することがある紙粉等についても、それが前記清掃部材により除去されれば回収できるようにしておくことが好ましい。
【００２２】
そこで本発明に係る画像読取装置においては、例えば、前記異物回収部の異物回収用開口は前記原稿搬送装置の原稿搬送方向を横切る方向に搬送可能な原稿の最大幅以上に延びている場合を挙げることができる。
【００２３】
また、前記原稿搬送装置を前記画像読取装置本体に回動開閉可能に連結する前記ヒンジの開閉軸は該原稿搬送装置による原稿搬送方向とは交わらない方向に延びている場合を例示できる。この場合、異物回収部の原稿搬送方向を横切る方向の長さの略全体にわたって回収される異物を原稿搬送装置の画像読取装置本体に対する開閉ごとにヒンジ側、従って前記異物排出用開口部の方へ移動、集中させることができ、異物の回収部からの排出をそれだけ効率的に行える。
【００２４】
前記異物回収部の底部の前記異物を受ける内面を、前記原稿搬送装置を前記画像読取装置本体に閉じた状態で、前記ヒンジの開閉軸方向を横切る方向において前記ヒンジ側へ向かって下り傾斜させておけば、一層効率よく異物回収部内の紙粉等を該回収部のヒンジ側へ寄せ集めることができ、排出を容易化できる。
【００２５】
異物回収部内に回収された異物が、原稿搬送装置の開閉により一層容易に異物排出開口部の方へ移動するように、異物回収部の前記底部の内面に低摺動抵抗化（低摩擦抵抗化）のための表面処理を施してもよい。そのような処理として、摺動抵抗の低い（摩擦抵抗の低い）高分子シートの貼着、フッソ系樹脂等の摺動抵抗の低い樹脂のコーティング等を例示できる。
前記異物回収部の底部の異物排出用開口部は該開口部に着脱可能の蓋体で閉塞可能としてもよい。
【発明の効果】
【００２６】
以上説明したように本発明によると、画像読取装置本体と、前記画像読取装置本体に回動開閉可能にヒンジ連結された原稿搬送装置とを含み、前記画像読取装置本体は原稿の第１面画像を読み取るための第１読取部を含んでおり、前記原稿搬送装置は、開閉により前記第１読取部を開放又は被覆可能であり、前記原稿の第２面画像を読み取る第２読取部、前記第２読取部に滞留する異物を清掃する清掃部材及び前記清掃部材により前記第２読取部から除去される異物を回収する異物回収部を含んでおり、前記第１読取部を覆った状態で前記原稿を前記１読取部に搬送通過させ、さらに前記前記第２読取部に搬送通過させることができる画像読取装置であって、構造の複雑化を招くことなく、前記異物回収部から簡単、容易に異物を排出することができ、ひいてはそれだけ紙粉等の異物に起因する筋状ノイズ等の画像ノイズが抑制された状態で安定的に原稿画像を読み取ることができる画像読取装置を提供することができる。
【図面の簡単な説明】
【００２７】
【図１】本発明に係る画像読取装置の１例を採用した画像形成装置の１例を示す図である。
【図２】図１に示される画像読取装置の原稿搬送装置の要部構造を示す図である。
【図３】図２に示す原稿搬送装置においてその一部を開いた状態を示す図である。
【図４】図１に示す画像形成装置を図１と同じ側から見てブロック図的に示す図である。
【図５】図１に示す画像形成装置を図１において左側から見てブロック図的に示す図である。
【図６】図１に示す画像形成装置を図１において左側から見て、画像読取装置の原稿搬送装置を開いてブロック図的に示す図である。
【発明を実施するための形態】
【００２８】
図１に本発明に係る画像読取装置の１例を採用した画像形成装置の１例を示す。
図１に示す画像形成装置は、プリンタ部分１０とそれに搭載された画像読取装置９を含んでいる。この画像形成装置は複写機、プリンタ、ファクシミリ機等として利用できる所謂複合機である。
【００２９】
画像読取装置９は画像読取装置本体９００とそれに搭載された自動原稿搬送装置９０１とを含んでいる。
【００３０】
図４は図１に示す画像形成装置を図１と同じ側から見てブロック図的に示す図であり、図５は図１に示す画像形成装置を図１において左側から見てブロック図的に示す図であり、図６は図１に示す画像形成装置を図１において左側から見て、画像読取装置９の原稿搬送装置９０１を画像読取装置本体１００に対して上方へ開いてブロック図的に示す図である。
【００３１】
プリンタ部分１０は、それとは限定されないが、ここでは画像読取装置９で原稿から読み取られた画像情報、外部コンピュータ、フアクシミリ機等から送信されてくる画像情報等に基づいて、電子写真方式により記録用紙Ｓにトナー画像を形成することができるものである。
【００３２】
プリンタ部分１０は、画像形成部１１、画像形成部下方の用紙供給部１２、画像形成パス１３を有している。画像形成部１１は図示省略のベルト駆動部により回転駆動され駆動ローラｄ１と対向ローラｄ２に巻き掛けられて図中反時計方向αに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００３３】
各色担当の画像形成ユニットは、画像読取装置９からの画像情報や、図示省略の外部コンピュータや外部ファクシミリ機等から送信されてくる画像情報に基づいて、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト１１１上に１次転写することができる。
【００３４】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト１１１上で重ねられるタイミングでベルト１１１に１次転写される。
【００３５】
画像形成部１１はさらに、中間転写ベルト１１１の回転方向においてブラック画像形成ユニットＫの下流側で該ベルトに臨む２次転写ローラ１１２及びその上方に配置された定着装置１１３も含んでいる。
【００３６】
前記のようにベルト１１１上に１次転写されるトナー像は、図示省略の電源から２次転写バイアスが印加される２次転写ローラ１１２により、画像形成パス１３に沿って搬送されてくる用紙Ｓに２次転写される。
【００３７】
画像形成すべき用紙は用紙供給部１２から供給される。
用紙供給部１２は、カセット受入れ部に取り出し可能に装着された給紙カセット１２０に予め積載収容された用紙Ｓをピックアップローラ１２３で上層のものから引き出し、これを給紙ローラ１２１と捌きローラ１２２で捌いて、給紙ローラ１２１により１枚ずつレジストローラ１３１へ供給するものである。
【００３８】
用紙供給部１２から供給されてくる用紙は画像形成パス１３の入口に位置するレジストローラ１３１に突き当てられて一旦停止され、画像形成部１３において用紙の所定位置に画像形成が可能になるタイミングでレジストローラ１３１により画像形成パス１３へ送り込まれる。
【００３９】
このようにして用紙に２次転写されたトナー像は、定着装置１１３により加熱加圧下に定着され、用紙とともに排出トレイ１５へ排出される。
【００４０】
画像読取装置９は既述のとおり、画像読取装置本体９００と、それに搭載された自動原稿搬送装置９０１を含んでいる。
画像読取装置本体９００は既に知られているもので、図１に示すように、原稿画像をシートスルー方式（流し撮り方式）で読み取るための原稿台ガラスｇ１及び原稿をその上に静止配置して読み取る大きい面積の原稿台ガラスｇ２を有している。さらに、これらガラスｇ１、ｇ２の下方に走査ユニットＵ１、Ｕ２、レンズを含む光学系９０１及び撮像素子９０２を含んでいる。
【００４１】
走査ユニットＵ１はガラスｇ１又はｇ２を通して原稿を照らす照明ランプＬ及び原稿からの画像情報を含む反射光をユニットＵ２へ導くミラーｍ１を含んでいる。走査ユニットＵ２はユニットＵ１からの光を折り返すミラーｍ２、ｍ３を含んでいる。ミラーｍ３からの光は複数枚のレンズからなる光学系９０１を介して光電変換撮像素子（本例ではＣＣＤを含む素子）９０２へ導かれ、撮像素子９０２において原稿画像が結像され読み取られる。
【００４２】
ガラスｇ１を用いて流し撮り方式で原稿画像を読み取るときは、図１に示す位置に走査ユニットＵ１、Ｕ２を静止させる。ガラスｇ２に原稿を載置して読み取るときは、図示省略の駆動機構で走査ユニットＵ１、Ｕ２を、その読み取りのための基準位置におき、両ユニットを副走査方向へ、ユニットＵ２の速度がユニットＵ１の速度の２分の１となるように移動させ、原稿から撮像素子９０２までの光路長さを一定にして移動させる。
【００４３】
なお、画像読取装置本体９００は以上の構成に限定されるものではなく、それ自体知られた画像読取センサをガラスｇ１に対して定位置に配置したり、その画像読取センサをガラスｇ２に対して所定の位置から一定速度で移動させて原稿画像を読み取る方式等のものでもよい。
【００４４】
図４〜図６から分かるように、自動原稿搬送装置９０１は、画像読取装置本体９００に開閉可能にヒンジＨで連結されており、原稿台ガラスｇ１、ｇ２のある面を開閉できるカバーとしても機能する。ヒンジＨの回動中心軸（開閉用軸）ｈｓは原稿搬送装置９０１による原稿搬送方向とは交わらない方向β（図４参照）に、換言すれば、図１及び図４において左右方向に延びている。
【００４５】
自動原稿搬送装置９０１は、原稿載置トレイ９１、原稿載置トレイ９１下方の原稿排出トレイ９２及び原稿載置トレイ９１から原稿押さえ部９４が臨むガラスｇ１のある第１読取部Ａ（図２、図３参照）及び第２読取部Ｂを経て原稿排出トレイ９２へ原稿を案内するための原稿搬送路９３を有している。
【００４６】
原稿搬送路９３に沿って次のローラが順次配置されている。
原稿載置トレイ９１上の原稿を取り込むための原稿繰り出しローラ（ピックアップローラ）Ｐｒ、
ローラＰｒにより引き出され、繰り出された（ピックアップされた）原稿を奥へ供給する供給ローラＲ１、
供給ローラＲ１により供給された原稿の斜行を修正するためのレジストローラＲ２、
レジストローラＲ２から供給される原稿を第１読取部Ａの原稿押さえ部９４と原稿台ガラスｇ１との間に通過させ、さらにDual Scan のために第２読取部Ｂに通過させるための、原稿押さえ部９４の両側に配置された原稿読み取り前ローラＲ３及び原稿読み取り後ローラＲ４並びに第２読取部Ｂの下流側の搬送ローラＲ５、
原稿読み取りが終わった原稿を原稿排出トレイ９２へ排出する排出ローラＤｒである。
【００４７】
原稿押さえ部９４は原稿を画像読取装置本体９００のシートスルー（原稿流し撮り）用原稿台ガラスｇ１に沿わせ搬送するように搬送中の原稿を位置決めする。また、本例では表層がブラシで構成されており、回動してガラスｇ１に付着した紙粉等を清掃するものでもある。
【００４８】
原稿載置トレイ９１上の原稿を取り込むためのローラのうち繰り出しローラ（ピックアップローラ）Ｐｒは、トレイ９１上に載置された原稿が、図示省略の昇降駆動部にてトレイ前端部９１１が上昇することでローラＰｒに接触すると該原稿をピックアップして次段の供給ローラＲ１へ渡す。
【００４９】
供給ローラＲ１には捌きローラＲ１’が対向配置されている。捌きローラＲ１’は複数枚の原稿が搬送されてくると停止し、その間の供給ローラＲ１の回転により原稿を１枚ずつ捌き供給させるものである。
【００５０】
繰り出しローラＰｒ、供給ローラＲ１及びレジストローラＲ２等は、図示省略のモータを含むローラ駆動機構にて原稿を原稿読み取り前ローラＲ３へ搬送するように回転駆動することができる。但し、レジストローラＲ２については、供給ローラＲ１によって供給される原稿先端がレジストローラＲ２に衝突し、原稿先端に弛みが生じてから回転駆動開始される。これにより原稿の斜行が修正される。
【００５１】
原稿読み取り前ローラＲ３、原稿読み取り後ローラＲ４、搬送ローラＲ５及び排出ローラＤｒも、図示省略のモータを含むローラ駆動機構にて原稿を排出トレイ９２へ排出するように回転駆動することができる。
【００５２】
第２読取部ＢはDual Scan の画像読取のために設けられたものである。読取部Ｂは画像読取センサＳＥを含んでいる。画像読取センサＳＥはコンタクトイメージセンサ（ＣＩＳ：Contact Image Sensor) である。
【００５３】
原稿搬送路を間にしてセンサＳＥに対向する部位に、原稿画像を安定的に、忠実に読み取るためのシェーディング（光量補正）用の軸棒９５が配置されている。この軸棒９５は紙粉等の異物を受け入れる異物回収部９７に収められ、中心軸９５０で回動可能に支持されている。軸棒９５及びこれを収容支持する回収部９７は、図５及び図６に示すように原稿搬送装置９０１による原稿搬送方向を横切る方向に、図１において手前側から奥側へ（ヒンジＨ側へ）、図５及び図６において右側から左側（ヒンジＨ側へ）へ長く延びている。
【００５４】
軸棒９５はその一部が中心軸線方向に切断除去されており、そこにセンサＳＥに付着することがある紙粉等の異物を除去清掃するための清掃部材（本例では清掃ブラシ）９６が突設されている。清掃部材９６も図１において手前側から奥側へ（ヒンジＨ側へ）長く配設されている。
【００５５】
軸棒９５、清掃ブラシ９６、回収部９７等を含む、全体として読取センサＳＥへ原稿を案内する部分は、読取センサＳＥの読取ガラスＳＥｇの清掃やジャム処理等のために、図３に示すように支点軸９７０ｓを中心に揺動させて開閉させることができる。
【００５６】
ガラスｇ１のある第１読取部Ａを通って第１面画像が読み取られる原稿は、さらに第２読取部Ｂを通過することで反対側の第２面の画像も読み取られる。第２読取部Ｂへ搬送されてくる原稿は読取センサＳＥの読取ガラスＳＥｇとシェーディング用軸棒９５の間の隙間を通過し、原稿の画像が読取センサＳＥにより読み取られる。読取ガラスＳＥｇと軸棒９５の隙間は、図示省略のピッチリング、スペーサー等により一定の範囲に保たれ、読取センサＳＥの焦点深度内を原稿が通過するように保たれている。
【００５７】
シェーディング用軸棒９５の曲周面は原稿の通過時に使用する通紙面のエリア９５１とシェーディング時に使用するシェーディング面のエリア９５２に分けて使用している（図２、図３参照）。異物回収部９７は読取センサＳＥに臨む紙粉等の異物回収用開口９７１を有している。開口９７１は搬送可能な原稿の最大幅以上にわたって回収部の長手方向に開口している。
【００５８】
軸棒９５のエリア９５１、９５２及び清掃ブラシ９６は、回収部の開口９７１から読取センサＳＥに臨むことができる。通常は通紙面エリア９５１がセンサガラスＳＥｇに対して露出されるが、シェーディング時にはシェーディング軸９５が手動或いは図示省略の駆動部により回転せしめられ、シェーディング面エリア９５２がセンサＳＥに対して露出される。
【００５９】
また、例えば原稿を通す直前又は原稿の間に適宜シェーディング軸棒９５を回すことで読取センサＳＥのガラス面ＳＥｇに付着した紙粉等の異物の除去清掃を行うことができる。センサＳＥから除去された異物は異物回収部９７内へその開口９７１から回収される。
【００６０】
紙粉等異物の回収部９７には回収された紙粉等がその自重により堆積する底部９７２があり、該底部９７２のヒンジＨ側の端部には異物排出用開口部９７３が形成されており、該開口部はそれに着脱可能の蓋体９７４により閉じておくことができる。回収部９７からの異物排出はこの蓋体９７４を取り外し行う（図５、図６参照）。
蓋体９７４は例えば粘着性のテープ或いは紙粉排出用開口部９７３との嵌合などにより着脱可能とされる。
【００６１】
異物回収部９７の底部９７２の異物を受ける内面は、ヒンジＨ側へ角度θ下り傾斜させてある。また、該内面には、摩擦抵抗を低減させ、紙粉等がヒンジ側へ移動し易いように高分子シート（例えば高分子ポリエチレンシート）を貼着してある。なお、該内面には低摩擦化のためのフッ素系樹脂等をコーティングしてもよい。
【００６２】
異物排出用開口部９７３は、原稿搬送装置９０１を画像読取装置本体９００に対してヒンジＨにより開いたときに低い位置をとるヒンジ側部位に設けてあるから、清掃ブラシ９６により第２読取部Ｂから除去されて異物回収用開口９７１から回収部９７内に回収される紙粉等の異物は、原稿台ガラスｇ２への原稿のセットやジャム処理等のために原稿搬送装置９０１を画像読取装置本体９００から開くとヒンジＨ側へ移動し、回収部９７内に堆積することがあっても、画像読取装置構造の格別な複雑化を招くことなく、蓋体９７４を開いて異物排出用開口部９７３から簡単、容易に、効率的に取り出すことができる。
【００６３】
既述のとおり異物回収部９７の底部９７２の異物を受ける内面は、ヒンジＨ側へ角度θ下り傾斜させてあるから、また、該内面には摩擦抵抗を低減させる高分子シートを貼着してあるから、この点でも、紙粉等の異物は容易に回収部９７の排出開口部９７３の方へ移動し、効率良く取り出し排出できる。
【００６４】
また、原稿搬送装置９０１を本体９００に対して閉じているときでも、異物回収部９７の底部９７２の異物を受ける内面は、ヒンジＨ側へ角度θ下り傾斜させてあから、また、該内面には摩擦抵抗を低減させる高分子シートを貼着してあるから、振動等によりヒンジＨ側へ、ひいては排出開口部９７３側へ移動し易い。
【００６５】
これらにより、異物回収部９７に回収された異物が再び異物回収用開口９７１から飛散、漏洩して第２読取部Ｂへ再付着したり、画像読取装置９の他の部分（例えば原稿台ガラスｇ２）に付着したりすることが抑制され、それだけ紙粉等の異物に起因する筋状ノイズ等の画像ノイズが抑制された状態で安定的に原稿画像を読み取ることができる。
【産業上の利用可能性】
【００６６】
本発明は、画像読取装置本体と、画像読取装置本体に回動開閉可能にヒンジ連結された原稿搬送装置とを含み、原稿搬送装置内の原稿両面を読み取るDual Scan のための第２読取部に付着する紙粉等の異物を除去し、且つ、除去した異物を簡単、容易に、効率よく排出することができる画像読取装置を提供することに利用できる。
【符号の説明】
【００６７】
１０  プリンタ部分
９  画像読取装置
９００  画像読取装置本体
９０１  自動原稿搬送装置
Ｈ  ヒンジ
ｈｓ  ヒンジの回動軸
Ａ  第１読取部
Ｂ  第２読取部
９５  シェーディンディング用軸棒
９６  清掃ブラシ
９７  異物回収部
９７１  異物回収用開口
９７２  回収部の底部
９７３  異物排出用開口部
９７４  蓋体
【図１】
2012019394.tif 000003
【図２】
2012019394.tif 000004
【図３】
2012019394.tif 000005
【図４】
2012019394.tif 000006
【図５】
2012019394.tif 000007
【図６】
2012019394.tif 000008